(57)【要約】      （修正有）【課題】容易に外れず、紛失しにくく、邪魔にならず、脱着容易である。【解決手段】装着したまま作業の邪魔にならないように長円形のレンズを用い指輪部を太く直系を大きく、指に対して40度程度の角度に固定する。指輪部は２０ｍｍ×２５ｍｍ、レンズ部は２０ｍｍ×３０ｍｍとする。これにより山岳、渓流では眼鏡に頼らず釣りや写真が楽しめ、歩行時には裸眼又は使い慣れた眼鏡（近視、乱視）で安全に活動できる。【選択図】図１
0003101991.tif 000002
【実用新案登録請求の範囲】
【請求項１】
長円形のレンズ部と幅広の指輪部を一定の角度に固定し、野外活動時両手を操作しながら小さな指先の作業を可能にし、収納や調整をすることなく目標を捕らえ作業を容易にした屋外型の指つけルーペ
【考案の詳細な説明】
【技術分野】
【０００１】
屋外型指つけルーペは、近年のアウトドアーブームにより中高年の山岳、渓流での転落事故多発に対応し、不慣れな老眼鏡、特に遠近両用眼鏡に頼らず釣りや写真撮影など指先の小さな物を見る事が出来る。使用後は装着したまま釣や写真撮影などを続ける事が出来る。容易に外れず紛失しにくく、邪魔にならない等の特徴を持つ。
【背景技術】
【０００２】
従来、両手を使え指先を拡大できる指ルーペは、
小関  和義  氏     （ 実開平  ６−  ２１００８）    《実願平４-７７７２７》
今野利久蔵  氏    （特開平１０−  １０４４２）    《特許第３３１４２２８》
海老原峰子  氏    （実開昭５５−  ４８１５７）    
川端ヨシ子  氏      （実開昭５６−  ５８６１１）
園田  廣海  氏    （実開昭５６−１６４２１３）    
蓮田  和助  氏    （ 実開昭５８−１２６４１６）
富田  真一  氏    （実開昭５９−１１４５１６）    
石崎  玲子  氏    （実開昭６０−  ３６６１９）
長谷川亮助  氏    （実開昭６０−１４３４１７）    
斉藤  澄子  氏    （ 実開昭６３−  ４９５１４）
峯岸  房男  氏    （実開昭６３−１３８５１５）
等の先願が有るが何れも屋内において手先の作業（糸通し、細かな細工など）を念頭に造られており商品も散見するがそれらの物は野外において使用するには使用後ポケット等に収納する必要があり、試用の結果、釣などでは紛失する事が多い、紛失してしまえば餌つけも出来ず、せっかくの趣味が台無しになってしまう、また長時間装着するのには圧着部分が痛くなり、野外での使用には不向きである。
今野氏（特開平１０−１０４４２）の物は指輪部を人差し指に差し、中指に固定部を挟む構造であるので大きめのレンズも装着出来、屋内での細かな作業には向いていると思えるが屋外使用には邪魔になる事明白である。
【０００３】
【特許文献１】特開平１０−１０４４２号
【特許文献２】実願平４−７７７２７
【特許文献３】実開昭５５−４８１５７
【特許文献４】実開昭５６−５８６１１
【特許文献５】実開昭５６−１６４２１３
【特許文献６】実開昭５８−１２６４１６
【特許文献７】実開昭５９−１１４５１６
【特許文献８】実開昭６０−３６６１９
【特許文献９】実開昭６０−１４３４１７
【特許文献１０】実開昭６３−  ４９５１４
【特許文献１１】実開昭６３−１３８５１５
【考案の開示】
【考案が解決しようとする課題】
【０００４】
屋外型指つけルーペは、近年のアウトドアーブームにより中高年の山岳、渓流での転落事故多発に対応し、不慣れな老眼鏡、特に遠近両用眼鏡に頼らず釣りや写真撮影など指先の小さな物を見る事が出来、使用後は装着したまま釣や写真撮影が出来、容易に外れず紛失しにくい邪魔にならない等の特徴を持つ。
【０００５】
試作、試用の結果指つけルーペは小型に作る必要があり、その結果レンズが小型になり目標を捕らえにくく実用上不便な為普及が進まなかった一因と考えられる。対策としてレンズの直径を大きくすると（実開昭５６−５８６１１）（特開平１０−１０４４２）  《特許第３３１４２２８》（実開昭５８−１２６４１６）（実開昭６３−４９５１４）本案の目的である野外使用には不便である。
斉藤澄子氏（実開昭６３−４９５１４）の場合、大きなレンズを右手人差し指に着装しているが野外ではこれは不安定な使い方となる。
【課題を解決するための手段】
【０００６】
目標を捕らえやすく、装着したまま作業の邪魔にならないように長円形のレンズを用い指輪部を太く直系を大きく、指に対して40度程度の角度に固定する。（図1）
【０００７】
脱着や収納は釣など活動中には窮めて煩わしく指つけルーペの普及を妨げる最大の要素である。これを解決するため指輪部を（実開平  ６−２１００８）（実開昭５９−１１４５１６）（実開昭５５−  ４８１５７）（実開昭５８−１２６４１６）(実開昭６３−１３８５１５)等のように開放にせずゆるいサイズにしてつけたままで圧迫がないようにする（図３）、同時にレンズの角度を微妙に変えることが出来る、（針先など目標を見て針穴などを確認するのは一瞬であるから指輪部の固定は不要）
【０００８】
指輪部を固定し、かつレンズ部の角度を合わせる為いろいろな工夫がなされた物も多いが（実開昭５８−１２６４１６）（実開昭５６−１６４２１３）（実開昭６０−１４３４１７）（実開昭５６−  ５８６１１）
何れも取り付け棒、継ぎ手等があり本考案に比べ屋外での使用には便利性が悪い。
【０００９】
指に対し平行にレンズをかざす方式は（実開昭５５−４８１５７）（実開昭５９−１１４５１６  ）（実開
昭６０−３６６１９）（実開昭５８−１２６４１６）（実開昭６０−１４３４１７  図３）親指の先を見る事に
限定した本考案とは別の物である。（どの指も親指に対向して物をつかむのでほかの位置にレン
ズを合わせる必要はない）
【００１０】
指輪状に指に装着し折りたたみ収納をするタイプ（  実開昭５５−４８１５７）（実開昭６０−１４３４１７）（実開昭５９−１１４５１６）は本考案とは肝心のルーペ使用時に1で述べた便利性（レンズの収納、取り出し）に劣るほか、物をつまむときに親指の先を拡大する点でレンズの位置合わせに不便である。
【００１１】
今野利久蔵氏（特開平１０−１０４４２号）の場合は形状も大きく、用途も違っている。
【考案の効果】
【００１２】
屋外型指つけルーペは、近年のアウトドアーブームにより中高年の山岳、渓流での転落事故多発に対応し、不慣れな老眼鏡、特に遠近両用眼鏡に頼らず釣りや写真撮影など指先の小さな物を見る事が出来、使用後は装着したまま釣や写真撮影が出来、容易に外れず紛失しにくい邪魔にならない等の特徴を持つ。（図４．５）  
【００１３】
この普及により山岳、渓流では眼鏡に頼らず釣りや写真が楽しめ、歩行時には裸眼又は使い慣れた眼鏡（近視、乱視）で安全に活動できる。
【考案を実施するための最良の形態】
【００１４】
レンズ部を指の幅に合わせ（約２cm）非使用時に邪魔にならないようにする（図3）長円形にする事により縦方向視野が大きく広がり横方向に探すだけなので容易に目標を捕らえられる（図５）
【図面の簡単な説明】
【００１５】
【図１】斜視図  （a・dは20ｍｍ  ｂは25ｍｍ  cは30ｍｍを標準サイズとする）
【図２】側面図  （野外型指ルーペ使用時説明図、Aは指輪の隙間、Cはつまんだ針を示す）
【図３】側面図  （野外型指ルーペ非使用時説明図、Bは指輪の隙間を示す）
【図４】写真図  （レンズを縁無で全体を一体成型すれば安価に出来る）
【図５】写真図  （野外型指ルーペ使用方法を示した説明写真図である）
【図６】斜視図  （参考、拒絶された図面）
【図１】
0003101991.tif 000003
【図２】
0003101991.tif 000004
【図３】
0003101991.tif 000005
【図４】
0003101991.tif 000006
【図５】
0003101991.tif 000007
【図６】
0003101991.tif 000008